(57)【要約】【課題】この発明は、信号線の配線長の増大を抑えて、端子番号が信号線に覆われることを防止できる防災監視盤を得る。【解決手段】差込式端子台１０は、複数の差込式端子部１０ａを一列に配列して構成され、回路基板９の長辺縁部に、差込式端子部１０ａの配列方向を長辺の長さ方向に一致させて実装され、回路基板９は、差込式端子台１０の差込式端子部１０ａの配列方向を横方向として、盤本体２の底部に配設されている。外部からの信号線７が、盤本体２の底部にあけられた開口から引き込まれ、上下方向に差込式端子台１０の高さ位置まで延線され、その後横方向に曲げられて、差込式端子部１０ａの配列方向に差込式端子台１０の上を通って、接続先の差込式端子部１０ａに差し込まれ、端子番号を示すシルク印刷部１１が、回路基板９の差込式端子台１０の外側の周縁部に、複数の差込式端子部１０ａのそれぞれに対応するように形成されている。【選択図】図３
2014021832.tif 000002
【特許請求の範囲】
【請求項１】
扉が盤本体に対して開閉可能に装着され、差込式端子台が実装された四角形平板状の回路基板が上記盤本体の底部に配設された防災監視盤において、
上記差込式端子台は、複数の差込式端子部を一列に配列して構成され、上記回路基板の一辺縁部に、該差込式端子部の配列方向を該一辺の長さ方向に一致させて実装され、
上記回路基板は、上記差込式端子台の上記差込式端子部の配列方向を横方向として、上記盤本体の底部に配設され、
外部からの信号線が、上記盤本体の底部にあけられた開口から引き込まれ、上下方向に上記差込式端子台の高さ位置まで延線され、その後横方向に曲げられて、上記差込式端子部の配列方向に該差込式端子台の上を通って、接続先の該差込式端子部に差し込まれ、
端子番号を示すシルク印刷部が、上記回路基板の上記差込式端子台の外側の周縁部に、上記複数の差込式端子部のそれぞれに対応するように形成されていることを特徴とする防災監視盤。
【請求項２】
上記回路基板が、複数枚上記盤本体の底部に配設され、
上記複数枚の回路基板のうちの１枚を除く他の回路基板の上記シルク印刷部上には、固有の端子番号が付されたシールが貼り付けられていることを特徴とする請求項１記載の防災監視盤。
【請求項３】
上記回路基板は長方形平板であり、
上記差込式端子台が、上記回路基板の長辺に沿って実装されていることを特徴とする請求項１又は請求項２記載の防災監視盤。
【発明の詳細な説明】
【技術分野】
【０００１】
この発明は、火災、ガス漏れ、防犯などに関する受信機からなる防災監視盤に関し、特に建物内の地区分けされた各監視区域内に設けられる火災感知器や防排煙設備などの監視設備からの信号線が接続される差込式端子台を実装した回路基板を備えた防災監視盤に関するものである。
【背景技術】
【０００２】
従来の防災監視盤においては、建物内の地区分けされた監視区域内の監視設備からの信号線が、盤本体の底部にあけられた開口から盤本体内に引き込まれるように構成されている（例えば、特許文献１参照）。
【０００３】
特許文献１には明確に記載されていないが、長方形平板状の回路基板が、その長辺縁部に長辺の長さ方向に延在するように実装された差込式端子台を、開口にむけて、上下方向に延在するように、盤本体の底部に取り付けられている。そして、作業者は、差込式端子台の外側の回路基板の空スペースに付された端子番号を見ながら、開口から引き込まれた信号線を接続先の端子部の高さ位置まで上下方向に延線し、そこから横方向に曲げて、接続先の端子部に差し込むことになる。
【先行技術文献】
【特許文献】
【０００４】
【特許文献１】特開平１０−１２４７６７号公報
【発明の概要】
【発明が解決しようとする課題】
【０００５】
従来の防災監視盤においては、回路基板が、差込式端子台を開口に向けて上下方向に延在するように盤本体の底部に取り付けられているので、開口から引き込まれた信号線は、接続先の端子部の高さ位置まで上下方向に延線され、そこから横方向に曲げられて、端子番号上を通って端子部に差し込まれることになり、端子番号が見にくくなる。その結果、差込式端子台のそれぞれの端子部に差し込まれた信号線がどの監視設備からの信号線であるのかが分りにくくなり、点検作業性が悪化するという不具合があった。
【０００６】
この不具合を解決するために、差込式端子台を開口と反対側に向けて上下方向に延在するように回路基板を盤本体の底部に取り付け、開口から引き込まれ、接続先の端子部の高さ位置まで上下方向に延線された信号線を、回路基板の開口側の端部から回路基板上を通って端子部に差し込むことが考えられる。この場合には、端子番号が信号線に覆われることがなくなるが、信号線の配線長が長くなるという新たな不具合が発生する。
【０００７】
この発明は、上記の課題を解決するためになされたものであり、信号線の配線長の増大を抑えて、端子番号が信号線に覆われることを防止できる防災監視盤を得ることを目的とする。
【課題を解決するための手段】
【０００８】
この発明による防災監視盤は、扉が盤本体に対して開閉可能に装着され、差込式端子台が実装された四角形平板状の回路基板が上記盤本体の底部に配設され、上記差込式端子台は、複数の差込式端子部を一列に配列して構成され、上記回路基板の一辺縁部に、該差込式端子部の配列方向を該一辺の長さ方向に一致させて実装され、上記回路基板は、上記差込式端子台の上記差込式端子部の配列方向を横方向として、上記盤本体の底部に配設され、外部からの信号線が、上記盤本体の底部にあけられた開口から引き込まれ、上下方向に上記差込式端子台の高さ位置まで延線され、その後横方向に曲げられて、上記差込式端子部の配列方向に該差込式端子台の上を通って、接続先の該差込式端子部に差し込まれ、端子番号を示すシルク印刷部が、上記回路基板の上記差込式端子台の外側の周縁部に、上記複数の差込式端子部のそれぞれに対応するように形成されている。
【発明の効果】
【０００９】
この発明によれば、回路基板は、差込式端子台の差込式端子部の配列方向を横方向として、盤本体の底部に配設され、外部からの信号線が、盤本体の底部にあけられた開口から引き込まれ、上下方向に差込式端子台の高さ位置まで延線され、その後横方向に曲げられて、差込式端子部の配列方向に差込式端子台の上を通って、接続先の差込式端子部に差し込まれている。そこで、信号線の配線長の増大が抑えられ、回路基板の差込式端子台の外側の周縁部に印刷されたシルク印刷部が信号線に隠れることもない。
【図面の簡単な説明】
【００１０】
【図１】この発明の実施の形態１に係る防災監視盤の扉を開けた状態の信号線差し込み前の状態を示す斜視図である。
【図２】この発明の実施の形態１に係る防災監視盤の扉を開けた状態の信号線差し込み後の状態を示す斜視図である。
【図３】この発明の実施の形態１に係る防災監視盤の扉を開けた状態の信号線差し込み後の状態を示す要部拡大斜視図である。
【発明を実施するための形態】
【００１１】
以下、本発明による防災監視盤の好適な実施の形態につき図面を用いて説明する。
【００１２】
実施の形態１．
図１はこの発明の実施の形態１に係る防災監視盤の扉を開けた状態の信号線差し込み前の状態を示す斜視図、図２はこの発明の実施の形態１に係る防災監視盤の扉を開けた状態の信号線差し込み後の状態を示す斜視図、図３はこの発明の実施の形態１に係る防災監視盤の扉を開けた状態の信号線差し込み後の状態を示す要部拡大斜視図である。
【００１３】
図１乃至図３において、防災監視盤１は、盤本体２と、盤本体２の前面に開閉可能に取り付けられた扉３と、を備えている。盤本体２には、防災監視盤１の監視制御を処理する電気回路部および他の基板との間で信号線接続するためのコネクタ５などが実装されたＣＰＵボード４、外部からの信号線７が引き込まれる開口６、引き込まれた信号線７を整線する整線ダクト８、信号線７が接続される差込式端子台１０が実装された回路基板９などが設けられている。扉３には、電源などの状態を表示する表示灯群（図示せず）、各種の操作を行うための操作部１３、監視区域とその監視区域における監視する設備情報を表示する地区窓ユニット１４、ＣＰＵボード４のコネクタ５に信号線接続するためのコネクタ１５などが設けられている。
【００１４】
回路基板９は、長方形平板に構成され、図示されていないが、所定の配線パターンがその表面に形成され、電子部品が実装されている。差込式端子台１０は、例えば２４個の差込式端子部１０ａを１列に配列して構成され、回路基板９の長辺縁部に長辺の長さ方向に延在するように実装されている。また、シルク印刷部１１は、差込式端子台１０が実装されている位置より外側、かつ回路基板９の周縁部に設けられ、差込式端子部１０ａのそれぞれに対応するように端子番号が印刷されている。なお、回路基板９には、ＣＰＵボード４のコネクタ５に信号線接続するためのコネクタ（図示せず）が設けられている
【００１５】
開口６は、例えば、盤本体２の底部の幅方向の略中央の上部にあけられている。そして、整線ダクト８が、開口６の下方に、上下方向に延在するように、盤本体２の底部に設置されている。盤本体２の整線ダクト８の幅方向一側には、２枚の回路基板９が、それぞれ、差込式端子台１０の長さ方向（差込式端子部１０ａの配列方向）を盤本体２の幅方向として、かつ差込式端子台１０を上にして、上下に並んで配設されている。盤本体２の整線ダクト８の幅方向他側には、ＣＰＵボード４が配設されている。
【００１６】
このように構成された防災監視盤１は、例えば建物の管理室の壁に取り付けられる。そして、建物内の地区分けされた各監視区域内の監視設備からの多数の信号線７が、開口６から盤本体２内に引き込まれる。盤本体２内に引き込まれた信号線７は、図３に示されるように、整線ダクト８内を上下方向に、接続先の差込式端子部１０ａを有する差込式端子台１０の高さ位置まで延線される。そこで、信号線７は、曲げられて整線ダクト８から幅方向一側に引き出され、差込式端子台１０の上を通って接続先の差込式端子部１０ａの上部まで引き回され、接続先の差込式端子部１０ａに差し込まれる。
【００１７】
そして、例えば、監視区域内の火災報知設備が作動すると、火災発生信号が信号線７を介して回路基板９に伝送され、ＣＰＵボード４に入力される。そこで、ＣＰＵボード４は、入力された火災発生信号に基づいて、地区窓ユニット１４の地区灯を点灯し、火災発生と火災が発生した監視区域を管理室の監視者に報知する。
【００１８】
ここで、２枚の回路基板９には、同一のシルク印刷部１１が形成されているが、シルク印刷部１１には、上方の回路基板９に実装された差込式端子台１０の差込式端子部１０ａに割り振られた端子番号が付されている。一方、下方の回路基板９には、実装された差込式端子台１０の差込式端子部１０ａに割り振られた固有の端子番号が印刷されたシール１２が、シルク印刷部１１上に貼られている。そこで、作業者は、シルク印刷部１１およびシール１２に付された端子番号を見ながら、開口６から引き込まれた信号線７を接続先の差込式端子部１０ａに差し込むことになる。
【００１９】
この実施の形態１によれば、回路基板９が、差込式端子台１０の差込式端子部１０ａの配列方向を横方向として盤本体２の底部に配設され、開口６から引き込まれた信号線７が、差込式端子台の高さ位置まで上下方向に延線され、その後横方向に曲げられて、差込式端子部１０ａの配列方向に差込式端子台１０上を通って、接続先の差込式端子部１０ａに差し込まれている。ここで、回路基板９の周縁部のシルク印刷部１１あるいはシール１２が信号線７に覆われないので、シルク印刷部１１あるいはシール１２に付された端子番号の識別が容易となり、点検が正確となるとともに、点検作業性が高められる。また、信号線７が一直線上に配線されるため、信号線７が回路基板９上に実装されている部品と干渉せず、信号線７の断線や部品外れの発生が抑制される。さらに、信号線７の配線長さを短くすることができる。
【００２０】
差込式端子台１０が実装された２枚の回路基板９に同一のシルク印刷部１１が印刷されている。つまり、差込式端子台１０が実装された２枚の回路基板９に同一の基板を用いているので、基板の種類が１種類となり、低コスト化が図られる。そして、１枚の回路基板９のみのシルク印刷部１１上には、固有の端子番号が印刷されたシール１２が貼られているので、信号線７の誤配線がなくなる。
【００２１】
シルク印刷部１１が回路基板９の配線パターンが形成できない周縁部に形成されているので、回路基板９の面積の有効活用が図られる。
差込式端子台１０が長辺縁部に長辺の長さ方向に延在するように実装された長方形平板の回路基板９が、盤本体２に差込式端子台１０の差込式端子部１０ａの配列方向を横方向に向けて、上下に並んで配設されているので、防災監視盤１の上下方向寸法（高さ）を小さくすることができる。
【００２２】
なお、上記実施の形態１では、開口６から引き込まれた信号線７が整線ダクト８内を延線されるものとしているが、信号線７を束ねて結束するようにしてもよい。
また、上記実施の形態１では、２枚の回路基板９が整線ダクト８の一側に上下に並んで配設されているものとしているが、回路基板９は１枚でも良く、上下に３枚以上並んで配設されてもよい。
また、上記実施の形態１では、回路基板９が配線ダクト８の一側に配設されるものとしているが、回路基板９は配線ダクト８の両側に配設されてもよい。
また、上記実施の形態１では、１枚の回路基板９の長辺に１つだけ差込式端子台１０を設けたが、もう一方の長辺縁部にも差込式端子台１０を設け、部品が実装されない外側の位置にさらにシルク印刷部を設けてもよい。
【符号の説明】
【００２３】
１  防災監視盤、２  盤本体、３  扉、６  開口、７  信号線、９  回路基板、１０  差込式端子台、１０ａ  差込式端子部、１１  シルク印刷部、１２  シール。
【図１】
2014021832.tif 000003
【図２】
2014021832.tif 000004
【図３】
2014021832.tif 000005